(57)【特許請求の範囲】
【請求項１】
撮影コマ内が撮影領域とプレ露光領域に区画され、プレ露光領域に予めプレ露光画像を露光した写真フイルムが装填され、写真フイルムの前面に設けられた遮光マスクで前記プレ露光領域を覆ったまま撮影を行うことによって、撮影コマ内で被写体画像とプレ露光画像とを合成するレンズ付きフイルムユニットにおいて、
前記遮光マスクは、撮影領域とプレ露光領域の予め決められた境界位置付近に向かう撮影光の入射を許容するとともに、その撮影光の光量を撮影領域側からプレ露光領域側に向かって漸減させるように配され、撮影レンズの焦点距離をｆ(mm)、絞り値をＦとしたとき、前記遮光マスクのエッジと写真フイルム前面との光軸方向の間隔ｘ(mm)が「0.1ｆ／（（ｆ／Ｆ）＋０.1）≦ｘ≦ｆ／（（ｆ／Ｆ）＋1.0）」を満たすことを特徴とするレンズ付きフイルムユニット。
【請求項２】
撮影コマ内が撮影領域と撮影コマの縁部に設けたプレ露光領域とに区画され、プレ露光領域に予めプレ露光画像を露光した写真フイルムが装填され、写真フイルムの前面に設けられた遮光マスクでプレ露光領域を覆ったまま撮影を行うことによって、撮影コマ内で被写体画像とプレ露光画像とを合成するレンズ付きフイルムユニットにおいて、
前記遮光マスクは、撮影領域とプレ露光領域の予め決められた境界位置付近に向かう撮影光の入射を許容するとともに、その撮影光の光量を撮影領域側からプレ露光領域側に向かって漸減させるように、前記予め決められた境界位置よりも撮影コマの中心に向かってエッジが突出するとともに、写真フイルムの前面よりも光軸方向に所定の間隔をあけて配してあることを特徴とするレンズ付きフイルムユニット。
【請求項３】
前記遮光マスクのエッジは、撮影レンズの焦点距離をｆ(mm)、絞り値をＦとし、写真フイルム前面との光軸方向の間隔ｘ(mm)としたときに、「0.1ｆ／（（ｆ／Ｆ）＋０.1）≦ｘ≦ｆ／（（ｆ／Ｆ）＋1.0）」を満たすことを特徴とする請求項２記載のレンズ付きフイルムユニット。
【請求項４】
前記遮光マスクは、端部に写真フイルムに向く斜面が形成されて撮影レンズ側のエッジが画面中心に向かって突出した形状であることを特徴とする請求項１ないし３のいずれか１項に記載のレンズ付きフイルムユニット。
【発明の詳細な説明】
【０００１】
【発明の属する技術分野】
本発明は、レンズ付きフイルムユニットに関し、詳しくは予めプレ露光画像が露光された写真フイルムに被写体画像を露光し、プレ露光画像と被写体画像と合成するレンズ付きフイルムユニットに関するものである。
【０００２】
【従来の技術】
簡単な撮影機構を内蔵したユニット本体内に、写真フイルムが予め装填されたレンズ付きフイルムユニットが本出願人より製造・販売されている。また、装填する写真フイルムの撮影コマ内の一部に文字や、マンガのキャラクタ等の画像（以下、プレ露光画像という）を製造時にプレ露光しておき、この写真フイルムに被写体画像を多重露光することにより、簡単に画像合成が楽しめるようにしたレンズ付きフイルムユニットとして、例えば「プリントコレクション」（商品名）が本出願人より製造・販売されている。
【０００３】
このような多重露光により合成画像を得ようとするレンズ付きフイルムユニットでは、プレ露光画像が露光されているプレ露光領域に対面させて、写真フイルムに密着するようにして遮光マスクが配されている。この遮光マスクにより、撮影レンズからの撮影光からプレ露光領域が遮光された状態とされ、被写体画像が上記プレ露光画像と重ならないようにして撮影コマ内に写し込まれる。
【０００４】
【発明が解決しようとする課題】
被写体画像のプレ露光領域側のエッジを規定する遮光マスクの撮影光制限用のエッジと、プレ露光画像の被写体画像側のエッジとは位置ズレを起こさないようにされるべきであるが、この遮光マスクのエッジとプレ露光画像のエッジとを完全に一致させることは製造上極めて困難であり、位置ズレの発生は避けられない。この位置ズレは、例えばプレ露光時のプレ露光画像の露光位置のズレや、写真フイルムの幅の誤差のように写真フイルムの製造精度、ユニット本体内における写真フイルムの１コマ給送時の停止位置のズレ、写真フイルムの幅方向に設けられた遊びによる写真フイルムのズレ、レンズ付きフイルムユニットの製造精度等に起因して発生する。
【０００５】
例えばプレ露光画像が遮光マスクのエッジからはみ出すようにして位置ズレしている場合には、プレ露光画像の一部に被写体画像が２重露光されてしまう。また、逆方向にプレ露光画像が位置ズレしている場合には、プレ露光画像と被写体画像との間にライン状の未露光部分ができる。２重露光された部分はプレ露光画像と被写体画像とのそれぞれについてほぼ適正な露光量が与えられることになるから、プリント写真上で白くとんだ明確な白線となり、未露光部分はプリント写真上では黒線となる。このように、遮光マスクのエッジとプレ露光画像のエッジとの間に位置ズレが発生すると、白線や黒線が現れてプリント写真を見苦しいものにしてしまうといった問題があった。
【０００６】
本発明は上記課題を解決するためのものであり、遮光マスクの撮影光制限用のエッジとプレ露光画像のエッジとの間の位置ズレに起因して発生する白線を目立たなくし、また黒線が現れないようにするとともに、遮光マスクの撮影光制限用のエッジとプレ露光画像のエッジとの位置ズレの許容範囲を大きくすることができるレンズ付きフイルムユニットを提供することを目的とする。
【０００７】
【課題を解決するための手段】
上記目的を達成するために、本発明のレンズ付きフイルムユニットでは、遮光マスクを、撮影領域とプレ露光領域の予め決められた境界位置付近に向かう撮影光の入射を許容するようにするとともに、その撮影光の光量を撮影領域側からプレ露光領域側に向かって漸減させるように配し、撮影レンズの焦点距離をｆ(mm)、絞り値をＦとしたとき、前記遮光マスクのエッジと写真フイルム前面との光軸方向の間隔ｘ(mm)が「0.1ｆ／（（ｆ／Ｆ）＋０.1）≦ｘ≦ｆ／（（ｆ／Ｆ）＋1.0）」を満たすようにしたものである。また、遮光マスクを、撮影領域とプレ露光領域の予め決められた境界位置付近に向かう撮影光の入射を許容するとともに、その撮影光の光量を撮影領域側からプレ露光領域側に向かって漸減させるように、前記予め決められた境界位置よりも撮影コマの中心に向かってエッジが突出させるとともに、写真フイルムの前面よりも光軸方向に所定の間隔をあけて配したものである。
【０００８】
【発明の実施の形態】
図２は、本発明を実施したレンズ付きフイルムユニット２の外観を示すものである。レンズ付きフイルムユニット２は、各種撮影機構が組み込まれたユニット本体３と、このユニット本体３を部分的に覆う外装紙４とからなり、ユニット本体３にはフイルムカートリッジが予め装填されている。このレンズ付きフイルムユニット２は、各撮影コマにプレ露光画像が製造時にプレ露光された写真フイルムが装填されており、この写真フイルムに撮影を行うことで撮影コマ内で被写体画像とプレ露光画像との合成を行う。これにより、撮影、現像済の写真フイルムからは、被写体画像の下側にプレ露光画像が合成されたプリント写真を得ることがきるようになっている。
【０００９】
ユニット本体３の前面には、撮影レンズ５，ファインダ６の対物側窓６ａ，ストロボ発光部７，ストロボユニットのオン，オフの切り換えを行うストロボ操作部材８が設けられている。また、上面にはレリーズボタン９，残り撮影可能枚数を表示するカウンタ窓１０，ストロボ充電の完了を表示する表示用ライトガイド１１が突出される開口１２が設けられている。さらに、ユニット本体３の背面側には、１コマの撮影ごとに回転操作される巻上げノブ１３が露呈され、対物側窓６ａに対面する位置に接眼側窓６ｂ（図４参照）が設けられている。
【００１０】
図３にカートリッジシェルから写真フイルムを引き出した状態のフイルムカートリッジを示す。フイルムカートリッジ１４は、現在市販されているＩＸ２４０型式のものであり、カートリッジシェル１５とネガタイプの写真フイルム１６とからなる。カートリッジシェル１５には、写真フイルム１６の一端が係止されたスプール１７（図４参照）が回動自在に組み込まれ、さらにこのスプール１７のフイルム送り出し方向の回転によってカートリッジシェル１５内から写真フイルム１６を送り出すフイルム送出し機構と、写真フイルム１６のフイルム送出口を開閉する遮光蓋とが組み込まれている。
【００１１】
写真フイルム１６は、複数の撮影コマ１８がそれぞれ長方形に区画されている。この撮影コマ１８の画面サイズは、３０．２×１６．７ｍｍとなっている。また、写真フイルム１６には、一方の側縁に沿ってパーフォレーション１９が配列されている。各撮影コマ１８には、フイルム給送方向の先頭側と後部側に１つずつパーフォレーション１９が設けられている。
【００１２】
このレンズ付きフイルムユニット２に用いられる写真フイルム１６は、各撮影コマ１８内がプレ露光領域１８ａと撮影領域１８ｂとに区画されている。符号１８ｃで便宜的に示す境界線の上側がプレ露光領域１８ａに、下側が撮影領域１８ｂになっている。プレ露光領域１８ａは撮影コマ１８の長手方向に沿った長い長方形になっている。なお、境界線１８ｃは、仮想的なものであり、これが写真フイルム１６に記録されているわけではない。
【００１３】
プレ露光領域１８ａには、マンガのキャラクタ，観光地の風景写真や画像，文字等がプレ露光画像として製造時にプレ露光される。したがって、このプレ露光領域１８ａには、撮影前に露光が与えられて潜像が形成されている。一方の撮影領域１８ｂには、レリーズボタン９の操作によって撮影が行われた際に、撮影レンズ５からの撮影光で露光が与えられ、被写体画像が潜像として形成される。プレ露光画像及び被写体画像は、写真フイルム１６に現像処理を施すことによって顕在化され、これを印画紙に焼き付けることでプレ露光画像と被写体画像とが合成された合成画像のプリント写真が得られる。
【００１４】
ファインダ６は、撮影領域１８ｂに露光される撮影範囲が観察されるように、ファインダ視野範囲が調節されている。なお、ファインダ視野内にプレ露光画像を表示して、被写体とともに観察されるようにしてもよい。
【００１５】
図４に示すように、ユニット本体３は、前カバー２０，本体基部２１，ストロボユニット２２，電池２３，後カバー２４等から構成されている。本体基部２１の前面中央部には、撮影レンズ５から写真フイルム１６までの間の撮影光路を遮光する暗箱２６が一体に形成されている。この暗箱２６を挟む両側方には、カートリッジシェル１５が収納されるカートリッジ室２７と、カートリッジシェル１５から引き出されてロール状に巻かれた写真フイルム１６が収納されるフイルム室２８とが一体に設けられている。プリント写真上で被写体画像の下側にプレ露光画像が現れるようにするため、写真フイルム１６は、パーフォレーション１９側、すなわちプレ露光領域１８ａが上側となる姿勢で装填される。
【００１６】
暗箱２６の外側には、レリーズボタン９の押圧操作に応答してシャッタ羽根を駆動するシャッタ機構やフイルムカウント機構等を構成する各種部品と、充電完了表示部材１１，ファインダレンズ３０，シャッタカバー３１，撮影レンズ５等が取り付けられる。暗箱２６の背面には、写真フイルム１６上で撮影コマ１８の画面サイズを画定するアパーチャが形成され、暗箱２６の内側にはフレアの発生を防止するフレア防止枠３２と、プレ露光領域１８ａを撮影光から遮光する遮光マスク３３とが配されている。フレア防止枠３２と遮光マスク３３は、一体に形成された１つの部品となっているが、別々な部品としてもよい。
【００１７】
カートリッジ室２７の上部には、巻上げノブ１３が回転自在に取り付けられる。巻上げノブ１３の下面には、カートリッジシェル１５のスプール１７の端部に係合する駆動軸が一体に形成されている。この巻上げノブ１３の回転操作によって、写真フイルム１６の撮影済の部分がカートリッジシェル１５内に巻き上げられる。また、カートリッジ室２７の上面と巻上げノブ１３との間には、写真フイルム１６が全てカートリッジシェル１５内に巻き上げられたのを検出して、カートリッジシェル１５の遮光蓋を閉じ位置に回動する遮光蓋閉鎖機構（図示省略）が組み込まれている。
【００１８】
前カバー２０は、その前面にファインダ６の対物側窓６ａ，撮影レンズ５を露呈させる撮影レンズ用開口２０ａ，ストロボ発光部７を露呈させる開口２０ｂ，ストロボ操作部材８を露呈させる開口２０ｃ等が形成されており、本体基部２１の前面を覆う。
【００１９】
後カバー２４は、本体基部２１の背面を覆うように取り付けられる。この後カバー２４には、カートリッジ室２７とフイルム室２８との底面を塞ぐ底蓋２４ａ，２４ｂが一体に形成されている。フイルムカートリッジ１４が装填された本体基部２１に後カバー２４を取り付けた後に、底蓋２４ａ，２４ｂが閉鎖されてカートリッジ室２７及びフイルム室２８内が光密に塞がれる。底蓋２４ａは、現像所で撮影済のフイルムカートリッジ１４を取り出す際に開放される。また、暗箱２６のアパーチャに対峙する後カバー２４の部分には、支持板２４ｃが設けられている。この支持板２４ｃは、撮影レンズ５の像面湾曲を補正するために湾曲した形状になっており、アパーチャの背後で写真フイルム１６を湾曲させて支持する。
【００２０】
ストロボユニット２２は、各種電気部品が取り付けられてストロボ回路が形成されたプリント基板２２ａと、放電管やリフレクタ，拡散板等からなるストロボ発光部７とから構成されている。プリント基板２２ａには、シャッタ羽根の開閉動作に同期してオンしストロボ発光を行わせるシンクロスイッチ２２ｂや、ストロボ操作部材８のスライド操作によってオン／オフされるスイッチ２２ｃ，電池２３をストロボ回路に接続する金属接片２２ｄ等が取り付けられている。
【００２１】
ストロボユニット２２と前カバー２０との間には、ストロボ操作部材８が一体に形成されたスイッチ板３７と、このスイッチ板３７をスライド自在に支持する受け板３８とが組み込まれる。スイッチ板３７は、上方にスライドされた際にプリント基板２２ａ上のスイッチ２２ｃをオンする。スイッチ２２ｃがオンとなると、ストロボ回路でストロボ充電が行われるとともに、ストロボ発光が許容される。また、スイッチ板３７は、暗箱２６の側方に組み付けられた充電完了表示部材１１に係合されている。ストロボ操作部材８が上方にスライドされると、これに連動して充電完了表示部材１１が上方に移動し、ユニット本体３の上面に開口１２から突出する。
【００２２】
プリント基板２２ａには、ストロボ充電の完了時に発光するＬＥＤが取り付けられている。充電完了表示部材１１は、透明なプラスチックで形成されたライトガイドであり、前記ＬＥＤから出力された光を内部反射してレンズ付きフイルムユニット２外に導き、撮影者と被撮影者とに撮影準備が完了したことを知らせる。
【００２３】
図５に示すように、暗箱２６の前面には撮影光を暗箱２６内に入射させるシャッタ開口４０が設けられ、暗箱２６の背面にはアパーチャ４１が形成されている。この暗箱２６の背面側は、ユニット本体３の背面側に突出するように湾曲されている。アパーチャ４１は、撮影コマ１８と同じサイズで開口している。アパーチャ４１の上下部には、写真フイルム１６の上下端を支持するフイルムレール４２が設けられている。アパーチャ４１の背後にセットされた写真フイルム１６は、フイルムレール４２と後カバー２４の支持板２４ｃとの間に狭持されて湾曲した形状で支持される。
【００２４】
また、暗箱２６の前面には、シャッタ開口４１を開閉するシャッタ羽根４３が揺動自在に取り付けられている。シャッタ羽根４３は、図示しないバネによってシャッタ開口４０を閉じる方向に付勢されている。シャッタ羽根４３を覆うシャッタカバー３１には、シャッタ羽根４３を挟んでシャッタ開口４０と対峙する部分に絞り開口４４が形成されている。シャッタカバー３１の前面で絞り開口４４の周囲には、レンズ筒３１ａが形成されている。撮影レンズ５は、レンズ筒３１ａ内にはめ込まれて、前カバー２０によって保持される。
【００２５】
レリーズボタン９が押圧操作されると、シャッタ羽根４３は、バネの付勢に抗してシャッタ開口４０を開く方向に回動され、シャッタ開口４０を全開した後にバネによってシャッタ開口４０を閉じる方向に回動される。このシャッタ羽根４３の１往復の揺動により、シャッタ開口４０が開閉される。このシャッタ開口４３の開閉の間に、撮影レンズ５を透過して絞り開口４４から射出された撮影光は、シャッタ開口４０から暗箱２６内に入射し、写真フイルム１６を露光する。
【００２６】
暗箱２６の内部には、前述のようにフレア防止枠３２と、遮光マスク３３が配されている。フレア防止枠３２は、絞り開口４４からの入射光のうちの撮影に寄与しない入射光をカットすることにより、暗箱２６の内面による入射光の反射を抑えて、フレアの発生を防止する。遮光マスク３３は、アパーチャ４０の長手方向に沿って長くされた長方形の板状であり、プレ露光領域１８ａに対面するようにしてアパーチャ４１の上部に配されている。
【００２７】
プレ露光画像は、精度よく位置決めされてプレ露光領域１８ａにプレ露光されるが、位置ズレの発生は避けられない。また、プレ露光領域１８ａに正しくプレ露光画像がプレ露光されたとしても、写真フイルム１６がユニット本体３内で位置ズレして、遮光マスク３３に対してプレ露光画像が位置ズレすることもある。そして、このようにプレ露光画像が位置ズレすると、特に撮影領域１８ｂからプレ露光領域１８ａに向かう方向に沿って、このレンズ付きフイルムユニット２では撮影コマ１８の短辺に沿った方向（写真フイルムの幅方向）に位置ズレが生じると、被写体画像とプレ露光画像と間に未露光部分が生じたり、被写体画像とプレ露光画像との重なりが生じ、プリント写真を作成した際に黒線や明確な白線が現れてしまう。
【００２８】
従来の遮光マスクは、写真フイルム１６の前面にほぼ密着しており、その撮影光制限用のエッジについても、被写体画像のプレ露光領域側のエッジを明確に露光し、かつその位置を規定するためにプレ露光領域１８ａと撮影領域１８ｂの境界線１８ｃに対峙させて写真フイルム１６の前面にほぼ密着した状態で配されていた。しかしながら、このレンズ付きフイルムユニット２では、上記のような黒線や明確な白線がプリント写真に現れるのを防止するために、遮光マスク３３の撮影光制限用のエッジ３３ａは、写真フイルム１６の前面から撮影レンズ５側に所定の間隔をあけて配され、プレ露光領域１８ａと撮影領域１８ｂとの境界線１８ｃ付近に撮影光の一部が入射するようにしてある。
【００２９】
なお、図５中の符号４６ａは、絞り開口４４の上側から射出されて、遮光マスク３３のエッジ３３ａ近傍を通る撮影光を、符号４６ｂは、絞り開口の下側から射出されてエッジ３３ａ近傍を通る撮影光の光路をそれぞれ示している。
【００３０】
図１にエッジ３３ａの部分を拡大して示すように、遮光マスク３３の撮影光制限用のエッジ３３ａは、写真フイルム１６の前面から適当な間隔ｘだけ離してある。これにより、プレ露光領域１８ａと撮影領域１８ｂとの境界線１８ｃ付近に向かう撮影光は、その一部が遮光マスク３３のエッジ３３ａによってカットされるが、カットされなかった撮影光は写真フイルム１６に入射する。この撮影光が入射する領域（以下、この領域をボケ領域と称する）４８は、撮影領域１８ｂからプレ露光領域１８ａに向かう方向に沿って、この例では撮影コマ１８の短辺に沿った方向（図中矢線Ａ方向）に幅Ｈで広がっている。そして、入射する光量は、矢線Ａに示される向き、すなわちプレ露光領域１８ａに向かって漸減する。
【００３１】
結果として、ボケ領域４８には、被写体画像のプレ露光領域１８ａ側の縁部が露光されることになるが、この被写体画像の縁部は、プレ露光領域１８ａに向かって写真フイルム１６上で濃度が漸減する潜像として写真フイルム１６に露光される。すなわち、この被写体画像の縁部は、プリント写真上では、プレ露光画像領域１８ａに向かって濃度が漸増するように露光される。
【００３２】
遮光マスク３３のエッジ３３ａは、境界線１８ｃ付近で、各領域１８ａ，１８ｂにまたがった位置にボケ領域４８が形成されるようにして、写真フイルム１６との間隔ｘと、撮影レンズ５の光軸５ａ方向への遮光マスク３３のエッジ３３ａの突出量が決められている。
【００３３】
これにより、プレ露光画像が遮光マスク３３に対する正規の位置から矢線Ａ方向に沿って位置ズレしても、プレ露光画像１８ａのエッジがボケ領域４８内に位置するように被写体画像の露光を行い、プリント写真上で被写体画像とプレ露光画像との間に黒線が現れないようにしている。また、上記のように被写体画像の縁部を濃度を漸減してプレ露光画像に重ね合わせて露光するようにし、この重なった部分の画像の濃淡をぼかすことにより、プレ露光画像と被写体画像とが重なった部分が明確にならないようにしている。すなわち、２重露光による明確な白線がプリント写真に現れないようにしている。さらには、このようにして遮光マスク３３を配置することにより、プレ露光画像の位置ズレの許容範囲を広くすることができ、製造コストを下げることが可能となる。
【００３４】
ボケ領域４８の幅Ｈ及び形成位置、すなわち形成範囲は、プレ露光画像のエッジに見込まれるズレ範囲とほぼ一致させるのがよく、このようにすれば、確実に上記のような黒線や白線の発生を防止できる。
【００３５】
撮影レンズ５の焦点距離をｆ（ｍｍ），絞り開口４４による絞り値をＦとすると、これらとボケ領域４８の幅Ｈ（ｍｍ），間隔ｘ（ｍｍ）との間には次の▲１▼式のような関係がある。なお、絞り開口４４の開口径をＤとしてときに、絞りＦは、Ｄ＝ｆ／Ｆで与えられる。
（ｆ−ｘ）：ｆ／Ｆ＝ｘ：Ｈ・・・▲１▼
【００３６】
上記▲１▼式より、次の▲２▼式が得られ、この▲２▼式より必要とするボケ領域４８の幅Ｈに対応する遮光マスク３３のエッジ３３ａと写真フイルム前面との間隔ｘを求めることができる。
ｘ＝Ｈｆ／（ｆ／Ｆ＋Ｈ）・・・▲２▼
【００３７】
写真フイルム１６は、その幅に０．１ｍｍ（±０．０５ｍｍ）の誤差が許容されている。また、ユニット本体３のフイルム通路は、写真フイルム１６の幅よりも若干広くされている。さらに、前述のようにプレ露光画像は、これのプレ露光時に位置ズレすることもある。このため、プレ露光画像のエッジは、写真フイルム１６の幅方向に０．１ｍｍ以上のズレが発生すると考えられるから、ボケ領域４８の幅Ｈは、写真フイルム１６上で０．１ｍｍ以上とするのが好ましい。一方、ボケ領域４８の幅Ｈを大きくすると、被写体画像とプレ露光画像とが重なる面積が広くなったり、プレ露光画像に重ねて露光されない状態の被写体画像の縁部の面積が広くなるため、プリント写真の品質に影響を与える恐れがある。このため、ボケ領域４８の幅Ｈは、写真フイルム１６上で１．０ｍｍ程度に抑えておくのが好ましい。
【００３８】
したがって、間隔ｘは、次に示される条件式▲３▼を満たすようにするのがよく、この例においても条件式▲３▼を満たすようにしてある。
0.1 ｆ／（（ｆ／Ｆ）＋０.1）≦ｘ≦ｆ／（（ｆ／Ｆ）＋1.0 ）・・・▲３▼
【００３９】
なお、この例では、遮光マスク３３の全体を写真フイルム１６から離しているが、エッジ３３ａの部分だけを写真フイルム１６にから離して、そのほかの部分を写真フイルム１６にほぼ密着させるように配してもよい。もちろん、この場合にも、撮影光の一部が境界線１８ｃ付近に入射可能にしておく必要があるのはいうまでもない。
【００４０】
次に上記構成の作用について説明する。上記レンズ付きフイルムユニット２に装填されるフイルムカートリッジ１４は、その写真フイルム１６の各プレ露光領域１８ａにプレ露光画像が製造時にプレ露光される。プレ露光画像は、全撮影コマ１８に対して同一のものを用いてもよく、撮影コマ１８毎に異なるものを用いてもよい。
【００４１】
プレ露光が施された写真フイルム１６は、カートリッジシェル１５とともに本体基部２１に装填される。この後に本体基部２１にストロボユニット２２，前カバー２０，後カバー２４を組み付けてユニット本体３が完成する。検査の後に、ユニット本体３に外装紙４が貼付されてレンズ付きフイルムユニット２が完成する。完成したレンズ付きフイルムユニット２は、出荷されてユーザのもとで撮影に供される。
【００４２】
撮影を行う際には、まず巻上げノブ１３を回転操作し、写真フイルム１６を１コマ分巻き上げる。この巻き上げに連動してシャッタチャージが行われる。また、撮影者は、必要に応じてストロボ操作部材８を操作してストロボ発光の有無を選択する。次に、ファインダ６の接眼側窓６ｂからファインダ６を除いてフレーミングを行った後にレリーズボタン９を押圧する。ファインダ６では、撮影領域１８ｂに露光される撮影範囲を観察することができる。
【００４３】
レリーズボタン９を押圧するとシャッタ機構によってシャッタ羽根４３が揺動されてシャッタ開口４０が開閉される。シャッタ開口４０が開いている間に、撮影レンズ５を透過した撮影光は、絞り開口４４から射出され、シャッタ開口４０を通って暗箱２６内に入射する。
【００４４】
絞り開口４４から射出された撮影光のうちで撮影領域１８ｂに向かう撮影光は、この撮影領域１８ｂに露光を与え被写体画像の潜像を形成するが、プレ露光領域１８ａと撮影領域１８ｂとの境界線１８ｃ付近に向かう撮影光は、遮光マスク３３のエッジ３３ａが写真フイルム１６の前面から離して配してあるため、その一部がエッジ３３ａ及びその近傍の遮光マスク３３の部分でカットされ、カットされなかった残りが写真フイルム１６に達し露光を与える。このときに与えられる露光量は、プレ露光領域１８ａに向かうほど少なくなる。また、このようにして露光が与えられる他の、すなわちボケ領域４８と重ならないプレ露光領域１８ａは、これに向かう撮影光が遮光マスク３３によってカットされるため露光が与えられない。
【００４５】
結果として、プレ露光画像が位置ズレしていなければ、光量が減らされた被写体画像の縁部は、境界線１８ｃ、すなわちプレ露光画像のエッジ付近のプレ露光領域１８ａと撮影領域１８ｃに露光され、その一部はプレ露光画像の一部に重ねて露光される。また、プレ露光画像のエッジの位置ズレの範囲を見込んで、その範囲とほぼ一致する範囲にボケ領域４８が形成されるようにしてあるから、プレ露光画像が写真フイルム１６の幅方向に位置ズレしている場合でも、光量が減らされた被写体画像の縁部は、その一部がプレ露光画像に重ねて露光される。
【００４６】
このようにして、各撮影毎に撮影を行い、全撮影コマの撮影終了後、ユーザは巻上げノブ１３を連続的に回転操作して、全ての写真フイルム１６をカートリッジ１５に収納する。そして、このレンズ付きフイルムユニット２を現像所に提出する。
【００４７】
現像所では、レンズ付きフイルムユニット２から撮影済のフイルムカートリッジ１４を取り出し、カートリッジシェル１５と撮影済み写真フイルム１６との対応を保ったままフイルム現像処理を行い、現像済み写真フイルム１６は再び元のカートリッジシェル１５に巻き込まれる。プリント処理に際しては、カートリッジシェル１５から写真フイルム１６を１コマずつ引き出しながら従来と同様にして印画紙への焼き付けが行われる。こうして得られるプリント写真は、プレ露光画像と被写体画像との合成画像が写っている。
【００４８】
図６，図７は、遮光マスクのエッジを写真フイルムにほぼ密着させて配し、プレ露光画像に位置ズレが発生したときのプリント写真の記録状態を模式的に示すものである。なお、図６（ｂ）、図７（ｂ）は、図６（ａ），図７（ａ）に示されるプリント写真上での被写体画像とプレ露光画像との境界付近の濃度を模式的に示している。
【００４９】
遮光マスクのエッジが撮影領域内に入り込むようにプレ露光画像が位置ズレした場合には、写真フイルム上に露光された被写体画像とプレ露光画像との間には、ライン状の未露光部分が残される。したがって、図６（ａ）及び図６（ｂ）に示すように、プリント写真５０上にプリントされた被写体画像５１とプレ露光画像５２との間に、未露光部分に対応した黒線５３が現れる。この黒線５３は、極めて濃度の高い黒色となっている。
【００５０】
一方、遮光マスクのエッジがプレ露光画像内に入り込むようにプレ露光画像が位置ズレした場合には、写真フイルム上で被写体画像の一部がプレ露光画像の一部に２重露光され、この２重露光の部分が露光オーバ−となる。このため、図７（ａ）及び図７（ｂ）に示すように、プリント写真５０上では、被写体画像５１とプレ露光画像５２とが重なった部分に白く飛んだ明確な白線５４が現れる。
【００５１】
このように、従来では位置ズレが発生すると濃度の高い黒線５３や明確な白線５４がプリント写真上にプリントされてしまい、これらが目立ってプリント写真の品質を劣化させる。しかしながら、本発明を用いた上記のレンズ付きフイルムユニット２で撮影された写真フイルム１６から作成されるプリント写真には、このような黒線５３や白線５４が現れることはない。
【００５２】
図８に本発明を実施したレンズ付きフイルムユニット２で撮影された写真フイルム１６から作成されたプリント写真の記録状態を模式的に示す。なお、図８（ｂ）は、図８（ａ）に示されるプリント写真上での被写体画像とプレ露光画像との境界付近の濃度を模式的に示している。
【００５３】
ボケ領域４８の部分は、図８（ａ）にハッチングで示すプリント写真５０上の領域５６にプリントされる。遮光マスク３３のエッジ３３ａに対して写真フイルム１６上のプレ露光画像のエッジが位置ズレしても、プレ露光領域１８ａに向かって漸減される撮影光で被写体画像の縁部が写真フイルム１６上のボケ領域４８として露光され、その一部がプレ露光画像の一部に重ねて露光されているから、プレ露光画像５２の一部と被写体画像５１の縁部の一部とが重なった画像がプリントされることになる。すなわち、プレ露光画像が位置ズレしても、写真フイルム１６上で被写体画像とプレ露光画像との間に未露光部分が形成されることがないから、図８（ｂ）に示すように、プリント写真５０上で被写体画像５１とプレ露光画像５２との間に上記のような黒線が現れない。
【００５４】
また、領域５６内では、プレ露光画像５２の被写体画像側のエッジの位置に対応する境界位置５７よりも上側には被写体画像５１の縁部だけがプリントされ、下側には被写体画像５１の縁部とプレ露光画像５２とが２重露光された画像がプリントされた状態となる。被写体画像５１の縁部だけがプリントされた部分は、画像の濃度がプリント写真５０の下方に向かう方向で漸増している。
【００５５】
２重露光された画像がプリントされている部分は、写真フイルム１６上で撮影コマ１８の上方に向かって露光量が漸減された被写体画像の縁部とプレ露光画像とが２重露光されている部分に対応する。したがって、この部分は、縁部だけがプリントされた部分の境界位置５７の近傍の濃度と比べてプレ露光画像の分だけ低い濃度からプリント写真５０の下方に向かう方向でプレ露光画像の本来の濃度まで漸増している。このように、被写体画像５１の縁部が露光量が漸減されて露光されることにともない、２重露光された画像部分は、濃度が漸増するようにして濃淡がぼかされた状態でプリントされるから、この部分が上記のような明確な白線として現れて目立つことはない。
【００５６】
結果として、プレ露光画像と被写体画像とが、黒線や明確な白線がない良好な状態で合成された高品質のプリント写真を得ることができる。
【００５７】
上記実施形態では、写真フイルムの上部にプレ露光画像をプレ露光した例について説明したが、本発明は、プレ露光画像をその他の場所、例えば撮影コマの下部、左右、周囲等にプレ露光するものにも利用できる。もちろん、プレ露光画像の形状も種々の形状を採用することができる。
【００５８】
【発明の効果】
以上説明したように、本発明によれば、撮影レンズの焦点距離をｆ（ｍｍ）、絞り値をＦ，プレ露光画像がプレ露光されたプレ露光領域を覆う遮光マスクの撮影光制限用のエッジと写真フイルム前面との光軸方向の間隔をｘ（ｍｍ）としたときに、
0.1 ｆ／（（ｆ／Ｆ）＋０.1）≦ｘ≦ｆ／（（ｆ／Ｆ）＋1.0 ）
となるようにして、遮光マスクのエッジを写真フイルム前面から離したので、遮光マスクのエッジとプレ露光された部分のエッジとの間に位置ズレが生じても、濃淡がぼかされた被写体画像の縁部がプレ露光画像のエッジに重ねて露光されるので、プレ露光画像と被写体画像との間に未露光の部分が生じてプリント写真に黒線が現れたり、プレ露光画像と被写体画像とが重なって露光されること起因する明確な白線が現れることもない。また、遮光マスクのエッジに対するプレ露光画像のエッジの位置ズレの許容範囲を広くすることができる。
【図面の簡単な説明】
【図１】遮光マスクの要部を拡大して示す説明図である。
【図２】本発明を実施したレンズ付きフイルムユニットの外観を示す斜視図である。
【図３】フイルムカートリッジを示す説明図である。
【図４】レンズ付きフイルムユニットの構成を示す分解斜視図である。
【図５】ユニット本体の要部断面を示す断面図である。
【図６】黒線が現れたプリント写真の記録状態を示す説明図である。
【図７】白線が現れたプリント写真の記録状態を示す説明図である。
【図８】本発明のレンズ付きフイルムユニットから得られるプリント写真の記録状態を示す説明図である。
【符号の説明】
２  レンズ付きフイルムユニット
３  ユニット本体
５  撮影レンズ
１６  写真フイルム
１８  撮影コマ
１８ａ  プレ露光領域
１８ｂ  撮影領域
３３  遮光マスク
３３ａ  エッジ
４８  ボケ領域
【図１】
0003903088.tif 000002
【図２】
0003903088.tif 000003
【図３】
0003903088.tif 000004
【図４】
0003903088.tif 000005
【図５】
0003903088.tif 000006
【図６】
0003903088.tif 000007
【図７】
0003903088.tif 000008
【図８】
0003903088.tif 000009